(57)【要約】【課題】  病変の位置をリアルタイムに観察することを可能とする。【解決手段】  ＰＥＴ架台３およびＰＥＴ画像処理部８ｂは、被検体Ｐ内から放出されるポジトロンに基づいてポジトロン断層画像を再構成する。Ｘ線架台１およびＣＴ画像処理部８ａは、周期的に投影角度が変化するＸ線投影データを連続的に収集し、所定角度分のＸ線投影データを収集する毎にこれらのＸ線投影データに基づいて透視断層画像を再構成する。画像処理部８ｃは、透視断層画像にポジトロン断層画像を合成して合成画像を繰り返し生成する。【選択図】      図１
2007125100.tif 000002
【特許請求の範囲】
【請求項１】
被検体内から放出されるポジトロンに基づいてポジトロン断層画像を再構成する手段と、
周期的に投影角度が変化するＸ線投影データを連続的に収集し、所定角度分の前記Ｘ線投影データを収集する毎にこれらのＸ線投影データに基づいて透視断層画像を再構成する手段と、
前記透視断層画像に前記ポジトロン断層画像を合成して合成画像を繰り返し生成する手段とを具備したことを特徴とする画像診断装置。
【請求項２】
被検体内から放出されるポジトロンを検出するポジトロン検出手段と、
前記被検体を透過したＸ線を検出するＸ線検出手段と、
前記Ｘ線検出手段が検出するＸ線の投影角度を変更する角度変更手段と、
前記ポジトロン検出手段および前記Ｘ線検出手段と前記被検体との相対位置を変更する位置変更手段と、
断層画像の収集範囲を決定する範囲決定手段と、
前記相対位置の変更を前記位置変更手段に行わせつつ前記ポジトロン検出手段による前記ポジトロンの検出状況に基づいて前記収集範囲に関するポジトロンデータを収集するポジトロン収集手段と、
前記ポジトロンデータに基づいてそれぞれ異なるスライス位置に関する複数のポジトロン断層画像を再構成するポジトロン再構成手段と、
透視位置を決定する位置決定手段と、
前記透視位置で前記被検体を透過したＸ線を前記Ｘ線検出手段が検出するように前記相対位置を前記位置変更手段により変更した後に前記位置変更手段による前記相対位置の変更を停止させるとともに、前記角度変更手段による前記投影角度の変更を行わせつつ前記Ｘ線投影データを連続的に収集する透視用Ｘ線収集手段と、
所定角度分の前記Ｘ線投影データを収集する毎にこれらのＸ線投影データに基づいて透視断層画像を再構成する透視再構成手段と、
前記Ｘ線透視断層画像に前記透視位置と同じスライス位置に関して再構成された前記ポジトロン断層画像を合成して透視用合成画像を繰り返し生成する透視用合成手段とを具備したことを特徴とする画像診断装置。
【請求項３】
前記角度変更手段による前記投影角度の変更を停止させるとともに、前記相対位置の変更を前記位置変更手段に行わせつつ前記Ｘ線検出手段により検出された前記Ｘ線に基づいてスキャノスコピー画像を収集するスキャノ収集手段をさらに備え、
かつ前記範囲決定手段は、前記スキャノスコピー画像上での指定に基づいて前記収集範囲を決定することを特徴とする請求項２に記載の画像診断装置。
【請求項４】
前記投影角度の変更を前記角度変更手段に行わせるとともに、前記相対位置の変更を前記位置変更手段に行わせつつ前記Ｘ線検出手段による前記Ｘ線の検出状況に基づいて前記収集範囲に関するＸ線投影データを収集する多層撮影用収集手段と、
前記Ｘ線投影データに基づいてそれぞれ異なるスライス位置に関する複数のＸ線断層画像を再構成する多層再構成手段と、
同一のスライス位置に関する前記Ｘ線断層画像と前記ポジトロン断層画像とを合成して複数の位置決め用合成画像を生成する位置決め用合成手段とをさらに備え、
かつ前記位置決定手段は、複数の前記位置決め用合成画像のうちの１つの指定を受け付け、この選択された位置決め用合成画像のスライス位置を前記透視位置とすることを特徴とする請求項２または請求項３に記載の画像診断装置。
【請求項５】
前記位置決定手段は、ジョイスティック操作に応じて選択対象となる前記位置決め用合成画像を変更し、予め定められた決定操作がなされたときに前記選択対象となっている前記位置決め用合成画像を選択されたものとすることを特徴とする請求項４に記載の画像診断装置。
【請求項６】
前記範囲決定手段によって前記収集範囲が決定されたことに応じて、前記ポジトロンデータの収集および前記ポジトロン断層画像の再構成とを前記ポジトロン収集手段および前記ポジトロン再構成手段とに行わせ、こののちに前記位置決定手段により前記透視位置が決定されたことに応じて、前記Ｘ線投影データの収集、前記透視断層画像の再構成および前記透視用合成画像の繰り返し生成を前記Ｘ線収集手段、透視再構成手段および透視用合成手段に行わせる制御手段をさらに備えたことを特徴とする請求項２に記載の画像診断装置。
【請求項７】
前記スキャノスコピー画像の収集を前記スキャノ収集手段に行わせ、前記スキャノスコピー画像上での前記収集範囲の決定が前記範囲決定手段によってなされたことに応じて、前記ポジトロンデータの収集および前記ポジトロン断層画像の再構成を前記ポジトロン収集手段および前記ポジトロン再構成手段に行わせ、こののちに前記位置決定手段により前記透視位置が決定されたことに応じて、前記Ｘ線投影データの収集、前記透視断層画像の再構成および前記透視用合成画像の繰り返し生成を前記Ｘ線収集手段、透視再構成手段および透視用合成手段に行わせる制御手段をさらに備えたことを特徴とする請求項３に記載の画像診断装置。
【請求項８】
前記範囲決定手段によって前記収集範囲が決定されたことに応じて、Ｘ線投影データの収集、複数の前記Ｘ線断層画像の再構成、複数の前記位置決め用合成画像の生成、前記ポジトロンデータの収集および前記ポジトロン断層画像の再構成を前記多層撮影用収集手段、前記多層再構成手段、前記位置決め用合成手段、前記ポジトロン収集手段および前記ポジトロン再構成手段に行わせ、こののちに前記位置決定手段により前記透視位置が決定されたことに応じて、前記Ｘ線投影データの収集、前記透視断層画像の再構成および前記透視用合成画像の繰り返し生成を前記Ｘ線収集手段、透視再構成手段および透視用合成手段に行わせる制御手段をさらに備えたことを特徴とする請求項４に記載の画像診断装置。
【請求項９】
前記制御手段は、前記収集範囲が決定されるのに先立って前記スキャノスコピー画像の収集を前記スキャノ収集手段に行わせることを特徴とする請求項８に記載の画像診断装置。
【発明の詳細な説明】
【技術分野】
【０００１】
本発明は、ＰＥＴ（positron emission tomography）およびＸ線ＣＴ（computed tomography）を組み合わせて画像診断を行う画像診断装置に関する。
【背景技術】
【０００２】
近年、この種の画像診断装置は、画像診断装置等と呼ばれ、悪性腫瘍等の診断精度の向上のために有用であるとして注目されている。
【０００３】
この種の画像診断装置は、ポジトロン検出器とＸ線検出器とを備えている。そして、ポジトロン検出器を用いて再構成されるＰＥＴ画像と、Ｘ線検出器を用いて再構成されるＣＴ画像とを重ね合わせた合成画像を生成する。
【０００４】
上記の合成画像は、機能情報画像と形態情報画像とを重ね合わせたものとなるから、この画像に基づいて病変の様子を診断することが可能である。
【特許文献１】特開平９−５４４１号公報
【発明の開示】
【発明が解決しようとする課題】
【０００５】
一方、Ｘ線ＣＴ装置には、撮影中のＣＴ画像をリアルタイムで観察しながら腫瘍等の病変に処置を施すためのＣＴ透視撮影の機能がある。しかしながらＣＴ画像は形態情報画像であるため、機能情報画像でしか表示されない病変に対しては処置を行う場所を特定することが困難であった。
【０００６】
本発明はこのような事情を考慮してなされたものであり、その目的とするところは、病変の位置をリアルタイムに観察することを可能とすることにある。
【課題を解決するための手段】
【０００７】
以上の目的を達成するために第１の本発明は、被検体内から放出されるポジトロンに基づいてポジトロン断層画像を再構成する手段と、周期的に投影角度が変化するＸ線投影データを連続的に収集し、所定角度分の前記Ｘ線投影データを収集する毎にこれらのＸ線投影データに基づいて透視断層画像を再構成する手段と、前記透視断層画像に前記ポジトロン断層画像を合成して合成画像を繰り返し生成する手段とを備えた。
【０００８】
前記の目的を達成するために第２の本発明は、被検体内から放出されるポジトロンを検出するポジトロン検出手段と、前記被検体を透過したＸ線を検出するＸ線検出手段と、前記Ｘ線検出手段が検出するＸ線の投影角度を変更する角度変更手段と、前記ポジトロン検出手段および前記Ｘ線検出手段と前記被検体との相対位置を変更する位置変更手段と、断層画像の収集範囲を決定する範囲決定手段と、前記相対位置の変更を前記位置変更手段に行わせつつ前記ポジトロン検出手段による前記ポジトロンの検出状況に基づいて前記収集範囲に関するポジトロンデータを収集するポジトロン収集手段と、前記ポジトロンデータに基づいてそれぞれ異なるスライス位置に関する複数のポジトロン断層画像を再構成するポジトロン再構成手段と、透視位置を決定する位置決定手段と、前記透視位置で前記被検体を透過したＸ線を前記Ｘ線検出手段が検出するように前記相対位置を前記位置変更手段により変更した後に前記位置変更手段による前記相対位置の変更を停止させるとともに、前記角度変更手段による前記投影角度の変更を行わせつつ前記Ｘ線投影データを連続的に収集する透視用Ｘ線収集手段と、所定角度分の前記Ｘ線投影データを収集する毎にこれらのＸ線投影データに基づいて透視断層画像を再構成する透視再構成手段と、前記Ｘ線透視断層画像に前記透視位置と同じスライス位置に関して再構成された前記ポジトロン断層画像を合成して透視用合成画像を繰り返し生成する透視用合成手段とを備えた。
【発明の効果】
【０００９】
本発明によれば、病変の位置をリアルタイムに観察することを可能とすることができる。
【発明を実施するための最良の形態】
【００１０】
以下、図面を参照して本発明の一実施形態について説明する。
【００１１】
図１は本実施形態に係る画像診断装置１００の構成を示す図である。
【００１２】
画像診断装置１００は、ＣＴ架台１、高電圧発生部２、ＰＥＴ架台３、寝台４、機構部５、寝台位置検出部６、ＰＥＴ位置検出部７、画像生成部８、表示部９、操作部１０およびシステム制御部１１を含む。
【００１３】
ＣＴ架台１は、Ｘ線により被検体Ｐの断層撮影を行う撮影部を有する。高電圧発生部２は、ＣＴ架台１におけるＸ線照射に必要な高電圧を発生する。ＰＥＴ架台３は、被検体Ｐに放射線薬剤を投与した際に被検体Ｐから放出されるポジトロンを撮影することにより被検体Ｐの断層撮影を行う撮影部を有する。
【００１４】
寝台４は、天板４ａを含む。寝台４は、天板４ａ上に被検体Ｐが載置される。機構部５は、ＣＴ架台１のチルト、ＰＥＴ架台３の移動、寝台４の移動、あるいは天板４ａの移動を行う。寝台位置検出部６は、寝台４の位置を検出する。この寝台位置検出部６の検出結果は、ＣＴ架台１あるいはＰＥＴ架台３による撮影で被検体Ｐを所望の撮影部位に設定する際に寝台４の位置決めを行うために使用される。ＰＥＴ位置検出部７は、ＰＥＴ架台３の位置を検出する。このＰＥＴ位置検出部７の検出結果は、ＰＥＴ架台３の位置決めを行うために使用される。
【００１５】
画像生成部８は、ＣＴ架台１やＰＥＴ架台３の検出器において検出、収集されたデータの処理を行う。表示部９は、液晶やＣＲＴ等のモニタを備え、画像生成部８で処理された画像データを表示する。操作部１０は、キーボード、トラックボール、ジョイスティック、マウスなどの入力デバイスや表示パネル、更には、各種スイッチ等を備えたインターラクティブなインターフェイスであり、年齢、性別、体格、検査部位、検査方法、過去の診断履歴など被検体情報や撮影対象部位（対象臓器）の入力、ＣＴ架台１のチルト、天板４ａ、ＰＥＴ架台３、または寝台４の移動による撮影位置などの各種撮影条件の設定、各種コマンドの入力を行なう。システム制御部１１は、画像診断装置１００に備えられた上記の各ユニットを統括して制御する。
【００１６】
ＣＴ架台１は、Ｘ線管１ａ、Ｘ線検出器１ｂおよびデータ収集部１ｃを含む。またＣＴ架台１は、その中央に中央に天板４ａ上の被検体Ｐが送り込まれるほぼ円筒状の空間１ｄを形成している。Ｘ線管１ａおよびＸ線検出器１ｂは、空間１ｄを挟んで対向配置されている。Ｘ線管１ａは、被検体Ｐに対してＸ線を照射する。Ｘ線検出器１ｂは、被検体Ｐを透過したＸ線を検出し、電気信号に変換する。データ収集部１ｃは、Ｘ線検出器１ｂから出力される電気信号を収集して処理する。Ｘ線管１ａ、Ｘ線検出器１ｂおよびデータ収集部１ｃは、図示しない回転リングによって、空間１ｄの周囲を回転可能に保持される。さらにＣＴ架台１は、図示しない保持部によって、上記の回転リングの中心を通り回転リング面に平行な水平軸を軸にしてチルト可能に保持されている。
【００１７】
高電圧発生部２は、高電圧発生器２ａおよびＸ線制御部２ｂを含む。高電圧発生器２ａは、Ｘ線管１ａの陰極から発生する熱電子を加速するために陽極と陰極の間に印加するための高電圧を発生する。Ｘ線制御部２ｂは、システム制御部１１からの指示信号に従い、Ｘ線管１ａにおける管電流、管電圧、照射時間等のＸ線照射条件を調整するように高電圧発生器２ａを制御する。
【００１８】
ＰＥＴ架台３は、ポジトロン検出器３ａおよび信号処理部３ｂを含む。またＰＥＴ架台３は、その中央に天板４ａ上の被検体Ｐが送り込まれるほぼ円筒状の空間３ｃを形成している。ポジトロン検出器３ａは、空間３ｃの外周にリング上に配列されている。ポジトロン検出器３ａは、放射線が投与された被検体Ｐの体内から放出されるポジトロンを光信号に変換し、更にこの光信号を電気信号に変換して出力する。信号処理部３ｂは、ポジトロン検出器３ａから出力される電気信号を処理する。
【００１９】
なお、ＣＴ架台１とＰＥＴ架台３とは、空間１ｄと空間３ｃとが同一の直線状に並ぶように配置される。従って、天板４ａ上の一方向への移動により、被検体Ｐを空間１ｄおよび空間３ｃを連続的に通過させることができる。
【００２０】
機構部５は、ＣＴ架台チルト機構５ａ、天板移動機構５ｂ、ＰＥＴ架台移動機構５ｃ、寝台移動機構５ｄ、回転機構５ｅおよび機構制御部５ｆを含む。ＣＴ架台チルト機構５ａは、ＣＴ架台１をチルトさせる。天板移動機構５ｂは、天板４ａを上下および天板４ａの長手方向に水平移動させる。ＰＥＴ架台移動機構５ｃは、ＰＥＴ架台３を被検体Ｐの体軸方向に移動させる。寝台移動機構５ｄは、ＣＴ架台１あるいはＰＥＴ架台３による撮影のために寝台４を移動させる。回転機構５ｅは、ＣＴ架台１に設けられた回転リングを回転させる。機構制御部５ｆは、ＣＴ架台チルト機構５ａ、天板移動機構５ｂ、ＰＥＴ架台移動機構５ｃ、寝台移動機構５ｄおよび回転機構５ｅを制御する。
【００２１】
なお、ＰＥＴ架台３と寝台４および天板４ａとは、いずれか一方のみを移動可能とする構成としても良い。
【００２２】
寝台位置検出部６は、ＣＴ撮影用寝台位置検出器６ａおよびＰＥＴ撮影用寝台位置検出器６ｂを含む。ＣＴ撮影用寝台位置検出器６ａは、ＣＴスキャンやＣＴ透視を行う場合に、ＰＥＴ架台撮影位置からＣＴ撮影位置へ移動する寝台４を検出する。ＰＥＴ撮影用寝台位置検出器６ｂは、ＰＥＴ収集を行う場合に、ＣＴ撮影位置からＰＥＴ撮影位置へ移動する寝台４を検出する。
【００２３】
ＰＥＴ位置検出部７は、ＰＥＴ架台撮影位置検出器７ａおよびＰＥＴ架台待機位置検出器７ｂを含む。ＰＥＴ架台撮影位置検出器７ａは、ＰＥＴ待機位置からＰＥＴ撮影位置へ移動するＰＥＴ架台３を検出する。ＰＥＴ架台待機位置検出器７ｂは、ＰＥＴ撮影位置からＰＥＴ待機位置へ移動するＰＥＴ架台３を検出する。
【００２４】
そして、寝台位置検出部６およびＰＥＴ位置検出部７で検出された信号は、サーボアンプ等で構成された機構制御部５ｆに送られ、機構制御部５ｆによる寝台移動機構５ｄおよびＰＥＴ架台移動機構５ｃの制御のために使用される。
【００２５】
画像生成部８は、ＣＴ画像処理部８ａ、ＰＥＴ画像処理部８ｂおよび画像処理部８ｃを含む。ＣＴ画像処理部８ａは、データ収集部１ｃで収集されたデータを処理してＣＴ画像や透視画像を再構成する。ＰＥＴ画像処理部８ｂは、信号処理部３ｂから出力されたデータを処理してＰＥＴ画像を再構成する。画像処理部８ｃは、ＣＴ画像処理部８ａが生成したＣＴ画像や透視画像にＰＥＴ画像処理部８ｂが生成したＰＥＴ画像を重ね合わせて合成処理を行い、合成画像を生成する。画像生成部８は、ＣＴ画像、透視画像、ＰＥＴ画像および合成画像を表示部９に出力する。
【００２６】
システム制御部１１は、例えば図示しないＣＰＵと記憶回路とを含んで構成される。システム制御部１１は、従来よりある同種の装置が備える各種の動作を行うように各部を制御する機能を備える。その機能は例えば、ＣＴ画像、透視画像およびＰＥＴ画像を得るための周知の制御を行う機能である。システム制御部１１はさらに、範囲決定機能、位置決定機能および自動制御機能を備える。範囲決定機能は、操作部１０でのオペレータによる指示などに応じてＣＴ画像やＰＥＴ画像などの断層画像の収集範囲を決定する。位置決定機能は、操作部１０でのオペレータによる指示などに応じて透視画像を撮影する透視位置を決定する。自動制御機能は、予めエキスパートプランとして定められたシーケンスでの動作を自動的に行うように各部を制御する。
【００２７】
次に以上のように構成された画像診断装置１００の動作について説明する。
【００２８】
予め用意された特定のエキスパートプランの実行がオペレータによって要求されたことに応じて、システム制御部１１は自動制御機能によって図２に示すような処理を実行する。
【００２９】
ステップＳａ１においてシステム制御部１１は、スキャノスコピーを実行する設定になっているか否かを確認する。なお、スキャノスコピーを実行するか否かは、オペレータによって任意に設定される。
【００３０】
スキャノスコピーを実行する設定になっているならば、システム制御部１１はステップＳａ１からステップＳａ２へ進む。ステップＳａ２においてシステム制御部１１は、スキャノスコピー画像を収集するように各部を動作させる。このときの各部の動作は、例えば従来より知られている動作であって良い。
【００３１】
続いてステップＳａ３においてシステム制御部１１は、スキャノスコピー画像上にオペレータが指定する範囲に基づいて収集範囲を決定する。こののちにシステム制御部１１は、ステップＳａ５へ進む。
【００３２】
一方、スキャノコピーを実行しない設定になっているならば、システム制御部１１はステップＳａ１からステップＳａ４へ進む。ステップＳａ４においてシステム制御部１１は、オペレータが範囲指定を行うように手動で行う寝台４の操作に基づいて収集範囲を決定する。こののちにシステム制御部１１は、ステップＳａ５に進む。
【００３３】
ステップＳａ５においてシステム制御部１１は、ヘリカルＣＴスキャンを実行する設定になっているか否かを確認する。なお、ヘリカルＣＴスキャンを実行するか否かは、オペレータによって任意に設定される。
【００３４】
ヘリカルＣＴスキャンを実行する設定になっているならば、システム制御部１１はステップＳａ５からステップＳａ６へ進む。ステップＳａ６においてシステム制御部１１は、ヘリカルＣＴスキャンを実行するように各部を動作させる。このときの各部の動作は、例えば従来より知られている動作であって良い。続いてステップＳａ７においてシステム制御部１１は、ヘリカルＣＴ画像の再構成をＣＴ画像処置部８１に行わせる。このときのＣＴ画像処置部８１の動作は、例えば従来より知られている動作であって良い。こののちにシステム制御部１１は、ステップＳａ８に進む。
【００３５】
なお、ヘリカルＣＴスキャンを実行しない設定になっているならば、システム制御部１１はステップＳａ６およびＳａ７をパスしてステップＳａ５からステップＳａ８へ進む。
【００３６】
ステップＳａ８においてシステム制御部１１は、ＰＥＴ収集を実行するように各部を動作させる。このときの各部の動作は、例えば従来より知られている動作であって良い。続いてステップＳａ９においてシステム制御部１１は、ＰＥＴ画像の再構成をＰＥＴ画像処置部８２に行わせる。このときのＰＥＴ画像処置部８２の動作は、例えば従来より知られている動作であって良い。なおＰＥＴ画像処理部８ｂは、ステップＳａ７を行った場合には、そこで生成されたヘリカルＣＴ画像を用いて、ここで生成されたＰＥＴ画像の減弱補正を行う。
【００３７】
ステップＳａ１０においてシステム制御部１１は、位置決め用合成画像の生成および表示を画像処理部８ｃおよび表示部９に行わせる。ここで生成させる位置決め用合成画像は、あるスライス位置に関するヘリカルＣＴ画像とＰＥＴ画像とを重ね合わせて合成した画像である。なお最初にステップＳａ１０を実行する際に位置決め用合成画像を生成するスライス位置は、例えば予め定められた基準位置とする。
【００３８】
こののちにステップＳａ１１およびステップＳａ１２においてシステム制御部１１は、スライス位置変更指示か、あるいは透視開始指示がなされるのを待ち受ける。このとき、位置決め用合成画像のスライス位置を変更したい場合にオペレータは、例えばジョイスティック操作などのような操作部１０での所定の操作によりスライス位置変更指示を行う。そうするとシステム制御部１１は、ステップＳａ１１からステップＳａ１３へ進む。
【００３９】
ステップＳａ１３においてシステム制御部１１は、上記のスライス位置変更指示で指定される変更方向および変更量に基づいてスライス位置を変更する。この上でシステム制御部１１はステップＳａ１０に戻り、変更後のスライス位置に関する位置決め用合成画像の生成および表示を画像処理部８ｃおよび表示部９に行わせる。
【００４０】
さて、透視をしたいスライス位置に関する位置決め用合成画像が表示部９により表示された状態でオペレータは、操作部１０での所定の操作により透視開始指示を行う。そうするとシステム制御部１１は、ステップＳａ１２からステップＳａ１４へ進む。
【００４１】
ステップＳａ１４においてシステム制御部１１は、ＣＴ透視を実行するための各部の動作を開始させる。このときにシステム制御部１１は、この時点で表示されていた位置決め用合成画像のスライス位置を透視位置に定める。この時にオペレータによる手動操作に応じて透視位置を決定することもある。そしてこの透視位置に関するＣＴ透視画像を得るように各部を動作させる。このＣＴ透視を実行するための各部の動作は、例えば従来より知られている動作であって良い。ただし画像処理部８ｃは、ＣＴ画像処理部８ａにより生成されるＣＴ透視画像に、その透視位置と同一のスライス位置に関するＰＥＴ画像をリアルタイムで重ね合わせて合成して透視用合成画像を生成する。ＣＴ架台１がマルチスライスタイプであって上記の透視位置を基準とした複数スライス位置に関するＣＴ透視画像が同時に生成されるならば、これらのＣＴ透視画像のそれぞれを用いて複数の透視用合成画像を生成しても良い。ＣＴ透視画像に重ね合わせるＰＥＴ画像は、ステップＳａ９にて再構成したＰＥＴ画像に基づいて、透視位置や画像スライス厚に相当するＰＥＴ画像を線形補間により作成する。ＣＴ透視により複数断面のＣＴ透視画像を同時に表示する場合は、それぞれの透視位置および画像スライス厚に相当するＰＥＴ画像を作成し、各ＣＴ透視画像に重ね合わせる。この時、ＰＥＴ画像のカラースケールやオパシティは、リアルタイムで変更が可能である。
【００４２】
図３はＣＴ透視中における表示部９での表示画面の一例を示す図である。
【００４３】
図３に示す表示画面は、透視用合成画像９１〜９３、位置決め用合成画像９４および透視位置画像９５を含む。
【００４４】
透視用合成画像９１は、透視位置に関して生成されたＣＴ透視画像にアキシャル断面のＰＥＴ画像を重ね合わせた画像である。透視用合成画像９２，９３は、透視位置の前後のスライス位置に関して生成されたＣＴ透視画像にアキシャル断面のＰＥＴ画像を重ね合わせた画像である。位置決め用合成画像９４は、ステップＳａ１０で生成されたものである。すなわち位置決め用合成画像９４は、指定されているスライス位置に関して生成されたアキシャル断面のヘリカルＣＴ画像に同一断面のＰＥＴ画像を重ね合わせた画像である。透視位置画像９５は、コロナル断面のヘリカルＣＴ画像に同一断面のＰＥＴ画像を重ね合わせるとともに、透視位置を表す破線を重ね合わせた画像である。
【００４５】
このような状態でステップＳａ１５においてシステム制御部１１は、透視停止指示がなされるのを待ち受ける。オペレータが操作部１０での所定の操作により透視停止指示を行ったならば、これに応じてシステム制御部１１はステップＳａ１５からステップＳａ１６へ進む。ステップＳａ１６においてシステム制御部１１は、ＣＴ透視を実行するための各部の動作を停止させる。そしてこの後にシステム制御部１１は、ステップＳａ１０以降の処理を繰り返す。
【００４６】
以上のように本実施形態によれば、ＣＴ透視画像にＰＥＴ画像を重ね合わせた透視用合成画像が表示されるので、これに基づいて腫瘍などの病変の位置を透視画像上でリアルタイムに判別できるようになる。
【００４７】
また本実施形態によれば、透視用合成画像を得るための手順を自動的に実行するので、オペレータによる操作を簡易とすることができる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】本発明の一実施形態に係る画像診断装置１００の構成を示す図。
【図２】透視用合成画像の表示のための図１中のシステム制御部１１による処理手順を示すフローチャート。
【図３】ＣＴ透視中における図１中の表示部９での表示画面の一例を示す図。
【符号の説明】
【００５０】
１…ＣＴ架台、２…高電圧発生部、３…ＰＥＴ架台、４…寝台、５…機構部、６…寝台位置検出部、７…ＰＥＴ位置検出部、８…画像生成部、９…表示部、１０…操作部、１１…システム制御部、１ａ…Ｘ線管、１ｂ…Ｘ線検出器、１ｃ…データ収集部、３ａ…ポジトロン検出器、３ｂ…信号処理部、８ａ…ＣＴ画像処置部、８ｂ…ＰＥＴ画像処理部、８ｃ…画像処理部。
【図１】
2007125100.tif 000003
【図２】
2007125100.tif 000004
【図３】
2007125100.tif 000005